(57)【要約】      （修正有）【課題】ホッカイロを収納する袋を取り付けたゲートルを足に巻くことにより、冷え性対策、むくみの軽減効果を得る。【解決手段】普通の生地とタオル生地を足を包む大きさに裁ち、表地に普通の生地、裏地にタオル生地を使用する、中心にホッカイロや炭素成分の入ったフエルトを収納できる袋を設ける、片方の端にゴムを付けその先にマジックテープ凸１１，１２，１３，１４を縫いつける、逆側の端から中心までの幅広い範囲にマジックテープ凹３，４，５，６を縫い付ける、足に巻いてマジックテープ凸の方と広い範囲に縫い付けたマジックテープ凹の方を足の太さに合わせてふくらはぎに丁度良い所まで締める、ゴム７，８，９，１０つきのため伸縮するのでずれにくく適度な圧迫効果もある。【選択図】図１
0003112896.tif 000002
【実用新案登録請求の範囲】
【請求項１】
ゴムとマジックテープで、ふくらはぎを圧迫する圧力を調整することの出来るゲートルである、さらに、ホッカイロや炭素繊維のフエルトを入れることの出来る袋を設けることにより、むくみの軽減だけではなく保温効果もあるので冷え性対策にもなる。
【考案の詳細な説明】
【技術分野】
【０００１】  本考案は、ホッカイロを収納する袋を取り付けたゲートルを足に巻くことにより、冷え性対策、むくみの軽減効果が得られる。
【背景技術】
【０００２】  従来のバンテージは、痩身効果を目的としていたが、本考案は冷え性対策とむくみ軽減効果を目的としている。
（特許文献）特開平１０−１６５４３１号  公報
【考案の開示】
【考案が解決しようとする課題】
【０００３】  毎日、立ち仕事をしている私は夜になると足が疲れてパンパンにむくむだけではなく、夜中に足が攣ってしまいう、これを何とか解決できないかと考え、昔のゲートルを思い出して、簡単に出来ないかと思いマジックテープで止める事を考えた、このワンタッチゲートルをしたら１度も足が攣らなくなって、夜は足のつま先がポカポカと暖まるので冷え性対策にとても良い、また、心臓にも良いように思う。
【課題を解決するための手段】
【０００４】  １枚の生地を足を包む大きさに裁ちその生地を表地にし、もう１枚はタオル生地を同じように裁つタオル生地が中に入る裏地となる、中心にふくらはぎのふくらみを包むように上と下に当たる所をつまみ縫いをする、この作業は表地と裏地の両方同じように縫う、まず、つまんだ表地と裏地にあたるタオル地とつまんだ方を両方表にして回りをコの地に縫う、終ったら中を表に返す、また縫っていない方にゴムを付けその先に折った生地を縫っていないゴム地の方に縫い付けその先にマジックテープ凸をつける、足に巻いてマジックテープ凸の方とマジックテープ凹の方を合わせてふくらはぎに丁度良い所まで締める。
【考案の効果】
【０００５】  ホッカイロを収納する袋を取り付けているので、ホッカイロや炭素成分の入ったフエルトと併用すれば保温効果が増し、冷え性対策になる、さらに圧迫効果による、むくみの軽減、血液を心臓に素早く送り返す効果が期待できる。
【考案の実施するための最良の形態】
【０００６】  普通の生地とタオル生地を足を包む大きさに裁ち、表地に普通の生地、裏地にタオル生地を使用する、中心にホッカイロや炭素成分の入ったフエルトを収納できる袋を設ける、片方の端にゴムを付けその先にマジックテープ凸を縫いつける、逆側の端から中心までの幅広い範囲にマジックテープ凹を縫い付ける、足に巻いてマジックテープ凸の方と広い範囲に縫い付けたマジックテープ凹の方を足の太さに合わせてふくらはぎに丁度良い所まで締める、ゴムつきのため伸縮するのでずれにくく適度な圧迫効果もある。
【実施例】
【０００７】  足に巻いて締める。
【図面の簡単な説明】
【０００８】
【図１】本考案、ワンタッチゲートルの表面図である。
【図２】本考案、ワンタッチゲートルの裏面図である。
【符号の説明】
【０００９】１  表生地
２  裏生地
３  マジックテープ凹・Ａ
４  マジックテープ凹・Ｂ
５  マジックテープ凹・Ｃ
６  マジックテープ凹・Ｄ
７  ゴム・Ａ
８  ゴム・Ｂ
９  ゴム・Ｃ
１０  ゴム・Ｄ
１１  マジックテープ凸・Ａ
１２  マジックテープ凸・Ｂ
１３  マジックテープ凸・Ｃ
１４  マジックテープ凸・Ｄ
【図１】
0003112896.tif 000003
【図２】
0003112896.tif 000004
【手続補正書】
【提出日】平成16年6月16日(2004.6.16)
【手続補正１】
【補正対象書類名】実用新案登録請求の範囲
【補正対象項目名】全文
【補正方法】変更
【補正の内容】
【実用新案登録請求の範囲】
【請求項１】
ゲートルの内側にホッカイロや炭素繊維のフエルトを収納する事ができる袋を縫い込む、これによりゲートルに縫い込んである袋の中にホッカイロを入れて使用すれば冷え性対策としても役立つ。また、ゲートルの着脱を簡単にするために足に巻いて固定する仕組みのパーツとして面ファスナーを使用する、これにより足に巻く、取り外すことが簡単にできる。面ファスナーを幅広い範囲に縫い込む事で足の太い人、細い人でも面ファスナーの合わせ位置を調節して装着でき、尚且つ、脹脛を圧迫する圧力も面ファスナーの合わせ位置を変える事によって自在に調整することもできる。さらに継続して満遍なく足を圧迫させる為にゴムをワンタッチゲートルの側面に縫い込む、これにより脹脛のむくみを軽減させる効果がより得られる。むくみの軽減効果に加え保温効果もある、冷え性対策機能をも兼ね備えたゲートルである。
【手続補正２】
【補正対象書類名】明細書
【補正対象項目名】全文
【補正方法】変更
【補正の内容】
【考案の詳細な説明】
【技術分野】
【０００１】  本考案は、ホッカイロを収納する袋を取り付けたゲートルであり、足に巻くことにより、冷え性対策、むくみの軽減効果が得られる。
【背景技術】
【０００２】  従来のバンテージは、痩身効果を目的としていたが、本考案は冷え性対策とむくみ軽減効果を目的としている。
【特許文献】  特開平１０−１６５４３１号  公報
【考案の開示】
【考案が解決しようとする課題】
【０００３】  毎日、立ち仕事をしている私は夜になると足が疲れてパンパンに浮腫むだけではなく、夜中に足が攣ってしまう、これを何とか解決できないかと考え、昔のゲートルを思い出し、もっと簡単に着脱出来ないかと思い、面ファスナーで止める事を考えた、このワンタッチゲートルをしたら１度も足が攣らなくなって、夜は足のつま先がポカポカと暖まるので冷え性対策にとても良い、また、心臓にも良いように思う。
【課題を解決するための手段】
【０００４】  ２枚の生地（１枚の生地と１枚のタオル生地）を組み合わせて作る、脹脛を包む大きさに生地を裁ちその生地を表地にし、もう１枚のタオル生地を同じように裁つ、タオル生地が内側に当たる裏地となる、中心に脹脛のふくらみを包むように上と下に当たる所をつまみ縫いをする、こうすることで脹脛の曲線にフィットする、この作業は表地と裏地の両方同じように縫う、まず、つまんだ表地と裏地にあたるタオル地とつまんだ方を両方表にして回りをコの地に縫う、終ったら中を表に返す、また縫っていない方にゴムを付けその先に折った生地を縫っていないゴム地の方に縫い付けその先に面ファスナー（フックタイプ）を縫いつける、反対側の生地に面ファスナ（ループタイプ）を縫い付ける。足に巻いて面ファスナー（フックタイプ）の方と面ファスナー（ループタイプ）の方を合わせてふくらはぎに丁度良い所まで締める。
【考案の効果】
【０００５】  ホッカイロを収納する袋を取り付けているので、ホッカイロや炭素成分の入ったフエルトと併用すれば保温効果が増し、冷え性対策になる、さらに圧迫効果による、むくみの軽減、血液を心臓に素早く送り返す効果が期待できる。
【考案の実施するための最良の形態】
【０００６】  普通の生地とタオル生地を、脹脛を包む大きさに裁ち、表地に普通の生地、裏地にタオル生地を使用する、中心にホッカイロや炭素成分の入ったフエルトを収納できる袋を設ける、片方の端にゴムを付けその先に面ファスナー（フックタイプ）を縫いつける、逆側の端から中心までの幅広い範囲に面ファスナー（ループタイプ）を縫い付ける、足に巻いて面ファスナー（フックタイプ）の方と広い範囲に縫い付けた面ファスナー（ループタイプ）の方を足の太さに合わせてふくらはぎに丁度良い所まで締める、ゴムを縫い込んであるので伸縮性があり、ずれにくく適度な圧迫効果もある。
【実施例】
【０００７】  足に巻いて締める。
【図面の簡単な説明】
【００１３】
【図１】本考案、ワンタッチゲートルの表面図である。（右足用）
【図２】本考案、ワンタッチゲートルの裏面図である。（右足用）
【図３】本考案、ワンタッチゲートルを右足に装着した図である。
【符号の説明】
【００１４】１  表生地
２  裏生地
３  面ファスナー（ループタイプ）・Ａ
４  面ファスナー（ループタイプ）・Ｂ
５  面ファスナー（ループタイプ）・Ｃ
６  面ファスナー（ループタイプ）・Ｄ
７  ゴム・Ａ
８  ゴム・Ｂ
９  ゴム・Ｃ
１０  ゴム・Ｄ
１１  面ファスナー（フックタイプ）・Ａ
１２  面ファスナー（フックタイプ）・Ｂ
１３  面ファスナー（フックタイプ）・Ｃ
１４  面ファスナー（フックタイプ）・Ｄ
１５  収納袋
【手続補正３】
【補正対象書類名】図面
【補正対象項目名】全図
【補正方法】変更
【補正の内容】
【図１】
0003112896.tif 000005
【図２】
0003112896.tif 000006
【図３】
0003112896.tif 000007
【手続補正書】
【提出日】平成16年10月18日(2004.10.18)
【手続補正１】
【補正対象書類名】実用新案登録請求の範囲
【補正対象項目名】全文
【補正方法】変更
【補正の内容】
【実用新案登録請求の範囲】
【請求項１】
ゲートルの中心に曲線のたわみが出来るようにつまみ縫いを施し、内側に四角い収納袋を有する事を特徴とするゲートル。
【請求項２】
ゴムをゲートルの側面に縫い込み、ゲートルの着脱をする部品として幅広い範囲に面ファスナーを使用した構成からなるゲートル。
【手続補正２】
【補正対象書類名】明細書
【補正対象項目名】０００４
【補正方法】変更
【補正の内容】
【０００４】  （１）２枚の生地（１枚の生地と１枚のタオル生地）を組み合わせて脹脛を包む大きな布を作る、脹脛を包む大きさに生地を裁ちその生地を表地にし、もう１枚のタオル生地を同じように裁つ、タオル生地が足に巻いた時に内側に当たる裏地となる。  （２）足に巻いたときに生地が平坦で、たわみが無いと脹脛を包むようにフィットしないので、中心に脹脛のふくらみを包むように上と下に当たる所をつまみ縫いをする、こうすることで脹脛の曲線にフィットたわみを作れる。この作業は表地と裏地の両方同じように縫う、まず、つまんだ表地と裏地にあたるタオル地とつまんだ方を両方表にして回りをコの地に縫う、終ったら中を表に返す。  （３）表生地に長目に切った面ファスナー（ループタイプ）を４箇所縫い付ける。  （４）裏生地（タオル生地）に収納袋を縫いつける。  （５）細長い１枚の生地に面ファスナー（フックタイプ）を４箇所縫いつける。  （６）４個のゴム紐を、面ファスナー（ループタイプ）を縫い付けた大きな布と面ファスナー（フックタイプ）を縫い付けた細長い生地にそれぞれ縫い合わせる結合させる。  （７）足に巻いて面ファスナー（フックタイプ）の方と面ファスナー（ループタイプ）の方を合わせてふくらはぎに丁度良い所まで締める。
【手続補正３】
【補正対象書類名】明細書
【補正対象項目名】０００５
【補正方法】変更
【補正の内容】
【０００５】  （１）ホッカイロを収納する袋を取り付けているので、ホッカイロや炭素成分の入ったフエルトと併用すれば保温効果が増し、冷え性対策になる。  （２）ゲートルの側面に縫い込んだゴムが継続して満遍なく脹脛を圧迫、ゲートルを着脱する部品として面ファスナーを幅広い範囲に使用する事で足の太い人、細い人でも装着可能。  （３）脹脛を圧迫する圧力も面ファスナーの合わせ位置を変える事によって簡単に調節可能、圧迫効果による、むくみの軽減、血液を心臓に素早く送り返す効果が期待できる。
【手続補正４】
【補正対象書類名】明細書
【補正対象項目名】００１３
【補正方法】変更
【補正の内容】
【００１３】
【図１】本考案、ワンタッチゲートルを右足に装着した時の説明図である。  点線は、表からは見えないが裏側に面ファスナーフックタイプが有る事を示す。
【図２】本考案、ワンタッチゲートルの右足用を足に巻いたときに表側になる面の平面図である。  点線は、表からは見えないが裏側に面ファスナーフックタイプが有る事を示す。
【図３】本考案、ワンタッチゲートルの右足用を足に巻いたときに内側になる面の平面図である。  点線は、表からは見えないが裏側に面ファスナーループタイプが有る事を示す。
【手続補正５】
【補正対象書類名】明細書
【補正対象項目名】００１４
【補正方法】変更
【補正の内容】
【００１４】  １  生地（表生地、足に巻いたときに表側になる生地）  ２  タオル生地（裏生地、足に巻いたときに内側になるタオル生地）  ３  面ファスナー（ループタイプ）・Ａ  ４  面ファスナー（ループタイプ）・Ｂ  ５  面ファスナー（ループタイプ）・Ｃ  ６  面ファスナー（ループタイプ）・Ｄ  ７  ゴム紐・Ａ  ８  ゴム紐・Ｂ  ９  ゴム紐・Ｃ  １０  ゴム紐・Ｄ  １１  面ファスナー（フックタイプ）・Ａ  １２  面ファスナー（フックタイプ）・Ｂ  １３  面ファスナー（フックタイプ）・Ｃ  １４  面ファスナー（フックタイプ）・Ｄ  １５  収納袋（ホッカイロなどを入れる袋）
【手続補正６】
【補正対象書類名】図面
【補正対象項目名】全図
【補正方法】変更
【補正の内容】
【図１】
0003112896.tif 000008
【図２】
0003112896.tif 000009
【図３】
0003112896.tif 000010
【手続補正７】
【補正対象書類名】手続補正書
【補正対象項目名】手続補正４
【補正方法】削除
【補正の内容】
【手続補正書】
【提出日】平成17年4月6日(2005.4.6)
【手続補正１】
【補正対象書類名】実用新案登録請求の範囲
【補正対象項目名】全文
【補正方法】変更
【補正の内容】
【実用新案登録請求の範囲】
【請求項１】
ゲートルの中心に曲線のたわみが出来るようにつまみ縫いを施し、内側に収納袋を有する事を特徴とするゲートル。
【請求項２】
請求項１記載のゲートルにおいて、ゲートルの側面にゴムを縫い込み、ゲートルを着脱する部品として幅広い範囲に面ファスナーを使用した構成を特徴とする請求項１記載のゲートル。